(57)【要約】
【課題】
全閉型モータを劣悪な雰囲気中で使用した場合においても、オイルシールのリップの部分を通して雰囲気空気中に含まれるオイル、オイルミスト、粉塵、薬液、水、水蒸気等をハウジングの内部に引込まないようにしたモータを提供する。
【解決手段】
モータ１０のフロントブラケット１３を貫通するように半径方向に延びる貫通孔３６を形成し、この貫通孔３６をオイルシール３５とフロント側のボールベアリング１８との間の空間に開放するとともに、上記貫通孔３６の大径部３７にチューブ３８を接続し、このチューブ３８の先端部を良好な雰囲気空間に開放する。
【選択図】  図２
0003101419.tif 000002
【実用新案登録請求の範囲】
【請求項１】
内部空間を外部雰囲気から遮断した密閉構造の回転機において、
筐体に内部と外部とを連通させる貫通孔を形成し、該貫通孔にチューブを挿通し、該チューブの先端部を良好な雰囲気空間に開放することを特徴とする回転機。
【請求項２】
ハウジングの開口を覆うフロントブラケットを半径方向に貫通するように貫通孔が形成され、該貫通孔の大径部に前記チューブが挿通されることを特徴とする請求項１に記載の回転機。
【請求項３】
前記貫通孔がフロントブラケットの中心孔に取付けられたオイルシールとフロントブラケットに取付けられたボールベアリングとの間の空間に連通され、前記ベアリングのボールの間の隙間を通して前記ハウジング内の空間に連通されることを特徴とする請求項２に記載の回転機。
【請求項４】
前記チューブが中空の柔軟な筒体から構成されることを特徴とする請求項３に記載の回転機。
【請求項５】
前記チューブが塩化ビニール樹脂、ポリオレフィン樹脂、シリコン樹脂、ゴムの何れかの材料によって作られたチューブであることを特徴とする請求項４に記載の回転機。
【請求項６】
モータであることを特徴とする請求項１に記載の回転機。
【考案の詳細な説明】
【技術分野】
【０００１】
本考案は回転機に係り、とくに内部空間を外部雰囲気から遮断した密閉構造の回転機に関する。
【背景技術】
【０００２】
オイル、オイルミスト、粉塵、薬液、水、水蒸気等を含む劣悪な雰囲気中でモータを使用する場合には、上記の雰囲気に含まれるオイル、オイルミスト、粉塵、薬液、水、水蒸気等がモータの中に侵入しないように、全閉型あるいは密閉型モータを使用する。全閉型あるいは密閉型モータは外部雰囲気に対して内部空間を遮断した密閉構造のハウジングの内部に、ロータとステータを配している。
【０００３】
ところがこのような密閉型のモータにおいても、出力を取出すためにハウジングの中心部を貫通して配される出力軸の先端部をフロントブラケットの中心孔から前方へ突出させるようにしている。この場合に上記フロントブラケットの中心孔と出力軸の外周部との間の隙間をシールするようにオイルシールが配される。このようなオイルシールによって外部雰囲気と内部空間とを遮断した密閉構造を達成することが一応可能になる。
【０００４】
ところがモータはその運転中に通電によって温度が上昇する。すると内部の空気が膨張し、膨張した空気が上記オイルシールのリップを押退けて外部に排出される。これに対して運転を中止すると内部雰囲気の温度が低下する。するとハウジングの内部が外部に比べて負圧になるために、上記オイルシールのリップの隙間を通して外部から内部に空気が侵入する。
【０００５】
このときに雰囲気大気中に含まれるオイル、オイルミスト、粉塵、薬液、水、水蒸気等もモータのハウジングの内部に侵入する。外部から侵入する空気に含まれている上記のようなオイル、オイルミスト、粉塵、薬液、水、水蒸気はモータの内部における絶縁不良の原因になり、あるいはまたベアリングの潤滑部を損傷する原因になる。このような理由によって、全閉型あるいは密閉型のモータであっても、劣悪な雰囲気中で使用される場合には、寿命が短くなる問題がある。
【考案の開示】
【考案が解決しようとする課題】
【０００６】
本願考案の課題は、温度変化によってシール部の隙間を通して外部から不純物を含む空気が導入されないようにした回転機を提供することである。
【０００７】
本願考案の別の課題は、劣悪な雰囲気中で使用しても、コイルの絶縁不良やベアリングの潤滑部の損傷等が発生しないようにした密閉構造の回転機を提供することである。
【０００８】
本願考案のさらに別の課題は、劣悪な雰囲気中で使用してもその寿命が短くならないようにした回転機を提供することである。
【０００９】
本願考案の上記の課題および別の課題は、以下に述べる考案の技術思想および実施の形態によって明らかにされる。
【課題を解決するための手段】
【００１０】
本願の主要な考案は、内部空間を外部雰囲気から遮断した密閉構造の回転機において、
筐体に内部と外部とを連通させる貫通孔を形成し、該貫通孔にチューブを挿通し、該チューブの先端部を良好な雰囲気空間に開放することを特徴とする回転機に関するものである。
【００１１】
ここでハウジングの開口を覆うフロントブラケットを半径方向に貫通するように貫通孔が形成され、該貫通孔の大径部に前記チューブが挿通されることが好ましい。また前記貫通孔がフロントブラケットの中心孔に取付けられたオイルシールとフロントブラケットに取付けられたボールベアリングとの間の空間に連通され、前記ベアリングのボールの間の隙間を通して前記ハウジング内の空間に連通されることが好ましい。また前記チューブが中空の柔軟な筒体から構成されることが好ましい。また前記チューブが塩化ビニール樹脂、ポリオレフィン樹脂、シリコン樹脂、ゴムの何れかの材料によって作られたチューブであることが好ましい。またモータであることが好ましい。
【考案の効果】
【００１２】
本願の主要な考案は、内部空間を外部雰囲気に対して遮断した密閉構造の回転機において、筐体に内部と外部とを連通させる貫通孔を形成し、該貫通孔にチューブを挿通し、該チューブの先端部を良好な雰囲気空間に開放するようにしたものである。
【００１３】
従ってこのような回転機によれば、運転を停止して温度が下がり、内部の空気圧が負圧になった場合には、上記チューブを通して良好な雰囲気空間から内部に空気が導入される。従って機械の周辺の劣悪な雰囲気中に含まれる不純物がこの回転機の内部に侵入することが防止される。
【考案を実施するための最良の形態】
【００１４】
以下本願考案を図示の実施の形態によって説明する。この実施の形態は誘導電動機から成るモータ１０に関するものであって、モータ１０は図２に示すように、カップ状をなすハウジング１１を備えるとともに、このハウジング１１の前方の開口１２の部分を覆うようにフロントブラケット１３が組合わされるようになっている。なおハウジング１１とフロントブラケット１３との接合部にはシールリング１４が介装される。フロントブラケット１３にはその４つのコーナの部分に図１に示すように取付け穴１５が形成されるとともに、前面側にはインローを構成する円形の突部１６が形成される。
【００１５】
ハウジング１１の最奥部とフロントブラケット１３とにはそれぞれボールベアリング１７、１８が取付けられる。なおフロントブラケット１３側のボールベアリング１８はこのフロントブラケット１３に形成されている段部１９に外輪が嵌合される。またハウジング１８の最奥部のボールベアリング１７については、その奥に取付けられている波ワッシャ２０によって外輪が軸線方向に押圧され、予圧を与えるようにしている。
【００１６】
上記一対のボールベアリング１７、１８によって出力軸２１が回転可能に支持される。そして出力軸２１はその中間部に鉄心から成るロータヨーク２２を固着している。なおロータヨーク２２に設けられている溝の部分にアルミニウム製の導体を挿入している。これに対してハウジング１１の内周面にはステータコア２３が取付けられ、このステータコア２３に線材が巻装されてコイル２４を形成している。
【００１７】
ハウジング１１にはその上部に挿通孔２７が形成されるとともに、この挿通孔２７には先端部にゴムパッキン２８を巻装したコード２９が挿入される。なおコード２９の先端部には、上記ゴムパッキン２８と一緒にコンベックス３０が取付けられる。このコンベックス３０がコード２９の抜け止めを構成している。
【００１８】
上記フロントブラケット１３の中心孔３４によって出力軸１２がフロントブラケット１３の前方側に突出している。そして上記中心孔３４の内周面と出力軸２１の外周面との間にはリング状をなすオイルシール３５が装着され、これによって中心孔３４の隙間の部分をシールしている。そしてフロントブラケット１３には図１および図２に示すように、その厚さ方向の中間位置を半径方向に貫通するように貫通孔３６が形成されるとともに、この貫通孔３６の上端側の部分が大径部３７になっており、この大径部３７にチューブ３８が装着される。
【００１９】
図３はこのようなチューブ３８を貫通孔３６の大径部３７に接続したモータ１０の使用状態を示しており、モータ１０は機械室４５内において、負荷を構成する機械４６の側部に配される。そして上記チューブ３８の先端部が機械室４５の機械４６から離れた良好な雰囲気中に大気開放されている。
【００２０】
以上のような構成において、図２に示すコード２９を通してステータコア２３に巻装されているコイル２４に３相交流を通ずると、コイル２４が回転磁界を形成する。この回転磁界によってロータヨーク２２上のアルミ導体の部分に渦電流を生じ、この渦電流によって発生する磁界とステータコア２３上の回転磁界との相互作用によって、ロータヨーク２２が回転力を受ける。従って出力軸２１が回転駆動される。そして出力トルクを出力軸２１によって取出すことが可能になる。
【００２１】
このような誘導電動機において、その運転を開始すると発熱し、ハウジング１１内の空気が膨張する。すると膨張した空気によって内部の圧力が上昇し、膨張した空気はフロントブラケット１３の貫通孔３６およびチューブ３８を介して機械４６から離れた位置で雰囲気大気中に放出される。
【００２２】
これに対してモータ１０の運転を停止すると、ハウジング１１の内部の温度が低下するために、内部の大気圧が負圧になる。するとチューブ３８およびフロントブラケット１３の貫通孔３６を通して機械４６から離れた位置の良好な雰囲気中から大気が導入され、これによってハウジング１１内の圧力を適正な値に維持する。
【００２３】
すなわちこの誘導電動機は、ハウジング１１の内部空間をチューブ３８を介して良好な雰囲気空間と連通されるようになっている。ここでチューブ３８の先端が開放される雰囲気が不純物を含んでいなければ、ハウジング１１内に不純物が導入されることがなくなる。
【００２４】
一般に機械４６を設置した機械室４５の機械４６の近傍は、オイル、オイルミスト、粉塵、薬液、水、水蒸気等を大気中に含んだ劣悪な雰囲気になっている。従ってこのような劣悪な雰囲気中でモータ１０を運転すると、劣悪な雰囲気に含まれるオイル、オイルミスト、粉塵、薬液、水、水蒸気等がハウジング１１の内部に導入され、これによってコイル２４の絶縁不良を発生したり、ボールベアリング１７、１８の潤滑部を損傷したりする原因になる。ところが上記のようなチューブ３８を設け、このチューブ３８によって機械４６から離れた良好な空間の雰囲気と連通させることによって、ハウジング１１内に不純物や異物が導入されることがなくなり、これによってモータ１０の不具合を防止してその寿命を長くすることが可能になり、長期間にわたって良好な状態で使用できるようになる。
【００２５】
図４はこのようなモータ１０のフロントブラケット１３の貫通孔３６に接続されたチューブ３８の先端部の保持状態を示しており、例えばコード２９とチューブ３８とをハンド５０によって束ねるとともに、チューブ３８をコード２９に沿ってモータ１０から離れた位置まで引出し、所定の位置でこのチューブ３８の先端部の開放端を良好な雰囲気中に大気開放することができる。このような構成によれば、チューブ３８の先端部がふらついたり移動したりすることがなく、これによってチューブ３８が安定に配置できるようになる。
【００２６】
以上本願考案を図示の実施の形態によって説明したが、本願考案は上記実施の形態によって限定されることなく、本願に含まれる考案の技術的思想の範囲内において各種の変更が可能である。例えば上記実施の形態は誘導電動機に関するものであるが、本願考案は直流モータ、直流ブラシレスモータ、交流サーボモータ等の各種のモータに利用可能である。さらには本願考案は、全閉型の発電機にも利用可能である。またチューブ３８の材質についても、各種の材料を用いることができ、高分子系の材料、ゴム系の材料、金属チューブ等の各種のチューブから任意のチューブを選択することが可能である。
【産業上の利用可能性】
【００２７】
本願考案は各種の全閉型および密閉型モータや発電機に広く利用可能である
【図面の簡単な説明】
【００２８】
【図１】モータの正面図である。
【００２９】
【図２】同一部を破断した側面図である。
【００３０】
【図３】モータを使用する建屋の断面図である。
【００３１】
【図４】チューブの保持を示す先端部を破断した正面図である。
【符号の説明】
【００３２】
１０  モータ
１１  ハウジング
１２  開口
１３  フロントブラケット
１４  シールリング
１５  取付け穴
１６  円形の突部（インロー）
１７、１８  ボールベアリング
１９  段部
２０  波ワッシャ
２１  出力軸
２２  ロータヨーク（鉄心）
２３  ステータコア
２４  コイル
２７  挿通孔
２８  ゴムパッキン
２９  コード
３０  コンベックス（抜け止め）
３４  中心孔
３５  オイルシール
３６  貫通孔
３７  大径部
３８  チューブ
４５  機械室
４６  機械（負荷）
５０  バンド
【図１】
0003101419.tif 000003
【図２】
0003101419.tif 000004
【図３】
0003101419.tif 000005
【図４】
0003101419.tif 000006